(57)【要約】  本発明は、ある用量の化粧品製品（１０）を収容するカプセル（１）から前記化粧品製品でユニット容器を充填するための方法を提案する。前記カプセル（１）は、前記用量の化粧品製品（１０）で充填されたチューブを備え、前記チューブは、シリンダ内に摺動可能に取り付けられたピストン（６）により閉じられる第１の端部（３）と、初めに閉じられる出口ノズル（９）を形成する第２の端部との間に延在する。前記方法は、カプセルの出口ノズル（９）が開封される際の少なくとも１つの調製ステップと、前記化粧品製品（１０）が化粧品製品容器に流し込まれる少なくとも１つの流し込むステップとを含む。
2016522060.tif 000002
【特許請求の範囲】
【請求項１】
ある用量の化粧品製品（１０）を含むカプセル（１）から前記化粧品製品（１０）でユニット容器（１３）を充填するための方法であって、前記カプセル（１）は、前記用量の化粧品製品（１０）で充填されたチューブ（２）を備え、前記チューブ（２）は、前記チューブ（２）内に摺動可能に取り付けられたピストン（６）により閉じられる第１の端部（３）と、初めに閉じられる出口ノズル（９）を形成する第２の端部（４）との間に延在し、前記方法は、
前記カプセル（１）の前記出口ノズル（９）を開封するステップと、
前記出口ノズル（９）により前記化粧品製品を押し出すために前記カプセル（１）の前記ピストン（６）を作動させることによって前記化粧品製品（１０）がユニット容器（１３）へと流し込まれる、流し込むステップと、
前記化粧品製品（１０）が加熱（５５、７６）により前記カプセル（１）内で流体化されるステップと、
を少なくとも含むことを特徴とする方法。
【請求項２】
前記カプセル（１）内の前記化粧品製品（１０）の前記加熱（５５、７５）は、実質的に８０〜１００℃の間に含まれる温度にて行われ、前記温度は、好ましくは実質的に９０℃である、請求項１に記載の方法。
【請求項３】
前記加熱は、１〜５分の間に実質的に含まれる時間にわたって、好ましくは約４分の間にわたって行われる、請求項１または２に記載の方法。
【請求項４】
前記カプセル（１）の前記出口ノズル（９）を開く前記ステップは、前記カプセル（１）が備える分離可能ヘッド（１１）を切り離すことによって行われ得る、請求項１から３のいずれか一項に記載の方法。
【請求項５】
前記流し込みステップの後に、
前記化粧品製品（１０）が前記ユニット容器（１３）内で固化される冷却ステップ
をさらに含む、請求項１から４のいずれか一項に記載の方法。
【請求項６】
前記冷却ステップは、空気（７９）を吹き込むことによって行われる、請求項５に記載の方法。
【請求項７】
前記冷却ステップは、１分〜５分の間に実質的に含まれる時間および好ましくは約４分の間にわたって行われる、請求項５または６に記載の方法。
【請求項８】
チューブ（２）内に摺動可能に取り付けられたピストン（６）によって閉じられた第１の端部と、閉じられた出口ノズル（９）を形成する第２の端部（４）との間に延在し、固形形態の化粧品製品で充填された前記チューブ（２）を備えることを特徴とするカプセル（１）。
【請求項９】
前記カプセルの前記出口ノズル（９）は、分離可能ヘッド（１１）により気密的に閉じられる、請求項８に記載のカプセル（１）。
【請求項１０】
剛性キャップ（７）が、前記ピストン（６）に対接して配置される、請求項８または９に記載のカプセル（１）。
【請求項１１】
前記チューブ（２）は、１００℃超の融点を有する固形材料から作製される、請求項８から１０のいずれか一項に記載のカプセル（１）。
【請求項１２】
前記チューブ（２）は、透明材料から作製される、請求項８から１１のいずれか一項に記載のカプセル（１）。
【請求項１３】
前記ピストン（６）は、透明材料から作製される、請求項８から１２のいずれか一項に記載のカプセル（１）。
【請求項１４】
取外し可能である請求項９から１５のいずれか一項に記載のカプセル（１）から化粧品製品でユニット容器（１３）を充填するためのデバイス（３４）であって、
前記カプセル（１）の前記出口ノズル（９）を開くのに適した開封するための手段（５６〜５９）と、
前記出口ノズル（９）により前記化粧品製品（１０）を押し出すために前記カプセル（１）の前記ピストン（６）を作動させることによって前記ユニット容器（１３）に前記化粧品製品（１０）を流し込むのに適した、前記化粧品製品を流し込むための手段（６０）と、
を備えることを特徴とするデバイス（３４）。
【請求項１５】
加熱により前記カプセル（１）内に収容された固形の前記化粧品製品（１０）を流体化させ、前記カプセル（１）の前記出口ノズル（９）を開封するのに適した、前記カプセル（１）を調製するための手段（４７、５５、７６、５６〜５９）と、
前記出口ノズル（９）により前記化粧品製品（１０）を押し出すために前記カプセル（１）の前記ピストン（６）を作動させることによって前記ユニット容器（１３）に前記流体化された化粧品製品（１０）を流し込むのに適した、前記化粧品製品（１０）を流し込むための手段と、
を備える、請求項１４に記載のデバイス（３４）。
【請求項１６】
前記カプセルの調製手段（４７、５５、７６、５６〜５９）は、
前記カプセル（１）を受けるのに適した第１の受領ハウジング（４７）と、
前記第１の受領ハウジング（４７）を通して前記カプセル（１）を加熱するのに適した加熱要素（５５、７６）と、
前記カプセル（１）の前記出口ノズル（９）を開封するのに適した開封要素（５６〜５９）と、
を備える、請求項１４または１５に記載のデバイス（３４）。
【請求項１７】
前記加熱要素（５５、７６）は、前記第１の受領ハウジング（４７）の周囲に分散した加熱用抵抗（５５）と、さらにハロゲンデバイス（４７）とを備えることが可能である、請求項１６に記載のデバイス（３４）。
【請求項１８】
前記カプセル（１）の前記出口ノズル（９）を開封するための手段（５６〜５９）は、非作動位置と、前記少なくとも１つのブレード（５６）が前記出口ノズル（９）を開封する作動位置との間で可動に取り付けられた少なくとも１つの切断ブレード（５６）と、さらに前記作動位置と前記非作動位置との間で前記ブレード（５６）を移動させるのに適したアクチュエータ（５７〜５９）とを備え、およびその逆となる、請求項１４から１７のいずれか一項に記載のデバイス（３４）。
【請求項１９】
流し込むための前記手段（６０）は、ジャッキに関連付けられたロッド（６０）を備え、前記ロッド（６０）は、収納非作動位置と、前記ロッド（６０）の一方の端部（６３）が前記カプセル（１）の前記チューブ（２）内に摺動可能に取り付けられた前記カプセル（１）の前記ピストン（６）に圧力をかけるのに適した位置となる作動位置との間での移動において可動に取り付けられる、請求項１４から１８のいずれか一項に記載のデバイス（３４）。
【請求項２０】
前記デバイス（３４）は、化粧品製品（１０）用の前記ユニット容器（１３）を受けるのに適した第２の受領ハウジング（６４）を備える、請求項１４から１９のいずれか一項に記載のデバイス（３４）。
【請求項２１】
化粧品製品（１０）用の前記ユニット容器（１３）のための前記第２の受領ハウジング（６４）は、前記第２の受領ハウジング（６４）に化粧品製品用の前記ユニット容器（１３）を挿入する助けとなる収納位置と、化粧品製品用の前記ユニット容器（１３）が前記カプセル（１）の前記出口ノズル（９）に隣接して位置するのに適した位置である充填位置との間での移動において可動に取り付けられた引出し（４４）内に配置される、請求項２０に記載のデバイス（３４）。
【請求項２２】
前記第２の受領ハウジング（６４）を通して化粧品製品（１０）用の前記ユニット容器（１３）を冷却するための手段（７９）を備える、請求項２０または２１に記載のデバイス（３４）。
【請求項２３】
前記デバイス（３４）は、分離可能ヘッド（１１）を回収するための手段（４３）を備え、前記分離可能ヘッド（１１）は、前記出口ノズル（９）の開封前に前記カプセル（１）の前記出口ノズル（９）を閉じるのに適する、請求項１４から２２のいずれか一項に記載のデバイス（３４）。
【請求項２４】
請求項１から７のいずれか一項に記載の方法の各ステップの進捗をオペレータ（１００）に通知するために前記オペレータ（１００）にメッセージを送達するのに適した、および／または前記デバイス（３４）を使用するための指示を前記オペレータ（１００）に与えるのに適したディスプレイ画面（４２）を備える、請求項１４から２３のいずれか一項に記載のデバイス（３４）。
【発明の詳細な説明】
【技術分野】
【０００１】
本発明は、取外し可能なカプセルから特に固形の化粧品製品でバイアルまたは塗布チューブなどのユニット容器を充填するための方法およびデバイスと、これを目的として使用可能なカプセルとに関する。
【背景技術】
【０００２】
リップメークアップ製品またはリップケア製品は、「リップスティックチューブ」と一般的に呼ばれるものなどのバイアルまたはチューブ内に殆どの場合パッケージングされる。
【０００３】
化粧品製品は、通常は、高速で動作するパッケージング機において比較的大量の生産工程で工業的に製造される。
【０００４】
短い時間間隔でパッケージングされることとなるユニット数を考えると、最終容器（バイアルまたはチューブ）に化粧品製品を充填するステップは、短時間で可能な限り最大のユニット数を生産することが可能となるように最適化される。
【０００５】
さらに、これらの製品の特性により、充填中は一連の加熱および冷却ステップが実装されることになり、これは、工業生産規模に適した設備の使用を必要とする。
【０００６】
生産されることとなるユニット数と、化粧品製品の調製およびパッケージングに関連する技術的制約とにより、単一の化粧品製品に関して顧客に提供可能となるものが、生産者により事前選択された選択肢の色調または質感のみに限定される。
【０００７】
さらに、化粧品製品は、その工業生産後の寿命が制限される。その結果、美容製品の販売場所は、比較的限定された在庫量のこれらの製品を保持することしかできず、そのため消費者に提供される色調または質感の選択肢がさらに限定されてしまう。
【０００８】
最後に、単一の生産ラインの場合に、容器（例えばチューブ、バイアル）は、色調および／または質感に関わらず同一であり、そのため顧客は、自ら選んだ容器に選択した色調および／または質感を適合させることにより自身の化粧品製品を完全にカスタマイズすることができなくなってしまう。
【０００９】
特に、これは、顧客が自ら選んだ機構に色調および／または質感を適合させることができないリップスティックの場合に、またはブラシがパッケージ製品と共に販売されるマスカラの場合に当てはまる。
【００１０】
生産者が、顧客のために選択肢の拡大を行いたい場合には、生産者は、製品の大量生産を増加させる以外の選択肢がなく、これは経済的にリスキーであり多額の費用がかかる。
【００１１】
本発明の以下の説明では、「リップスティック」または「リップスティック組成物」または「リップスティックチューブ」という総称は、ロッド形状またはスティック形状へと安定的に、時間の経過により、および環境温度にて成形され得る、色調または質感において限定されないメークアップおよび／またはリップケアに適した固形製品を意味するものとして理解される。
【００１２】
「固形製品」は、ロッドなどの所与の形状へと成形される場合に結果的に完全性を喪失することなく半剛性物体により穿通され得る製品を意味するものとして理解される。
【先行技術文献】
【特許文献】
【００１３】
【特許文献１】ＦＲ２，９５２，９１１
【発明の概要】
【発明が解決しようとする課題】
【００１４】
本発明の目的は、特に前述の欠点の全てまたは一部を解消することである。
【課題を解決するための手段】
【００１５】
本発明は、ある用量の化粧品製品を収容するカプセルから前記化粧品製品でユニット容器を充填するための方法を提案し、前記カプセルは、前記用量の化粧品製品で充填されたチューブを備え、前記チューブは、前記チューブ内に摺動可能に取り付けられたピストンにより閉じられる第１の端部と、初めに閉じられる出口ノズルを形成する第２の端部との間に延在し、前記方法は、
カプセルの出口ノズルを開封するステップと、
出口ノズルにより前記化粧品製品を押し出すためにカプセルのピストンを作動させることによって前記化粧品製品が容器へと流し込まれる、流し込むステップと、
化粧品製品が加熱によりカプセル内で流体化され得るステップと
を少なくとも含む。
【００１６】
これらの条件により、本発明による方法は、個人用に作製され要望に応じた例えばリップスティックチューブなどの化粧品製品を一体的にパッケージングする助けとなり、化粧品製品（例えばリップスティック組成物、グロス組成物、またはマスカラ組成物など）の色調および／または質感と、さらにその容器自体との選択を顧客に委ねることが可能となる。この方法により、消費者は、容器内にパッケージングされた化粧品製品（例えばリップスティック、ファンデーション、マスカラ等）から構成された自分独自の最終製品を完全にカスタマイズすることが可能となる。
【００１７】
本発明による方法により、パッケージングされた最終製品は、消費者が化粧品製品およびさらには容器の両方を選択した後に、消費者の目の前で販売場所において生産され得る。
【００１８】
一実施形態との関連で後に説明される具体的な一実装形態によれば、例えば、本発明は、１用量の例えばリップスティック、塗布チューブなどの固形化粧品製品を収容したカプセルから前記製品の塗布チューブを充填するための方法に関するものであり得る。この方法では、第１のステップで、前記化粧品製品は、カプセルの出口ノズルの開封前に加熱によりカプセル内で流体化され得る。
【００１９】
これらの性質により、本発明による方法によって、個人用に作製され要望に応じた例えばリップスティックチューブなどの固形化粧品製品の塗布チューブが、１度に１ユニットで作製され得る。
【００２０】
さらに、化粧品製品が、気密式に封止されたユニットカプセル内に収容されるため、化粧品製品をより長く保管することが可能となるさらなる利点が存在する。
【００２１】
本発明による方法の様々な実施形態では、方法は、以下のステップを個別にまたは組合せで含み得る。
カプセル内の化粧品製品の加熱は、実質的に８０〜１００℃の間に含まれる温度にて行われ、この温度は、好ましくは実質的に９０℃であり得る。
また、加熱は、任意にはペースト状または半固形状の製品が、カプセルからの化粧品製品の押出しをより容易にするために若干流体化されるべき場合に行われ得る。
加熱は、１〜５分の間に実質的に含まれる時間にわたって、好ましくは約４分の間にわたって行われ得る。
前記カプセルの前記出口ノズルを開封するステップは、前記カプセルが備える分離可能ヘッドを切り離すことによって行われ得る。
この方法は、前記流し込みステップの後に、化粧品製品がユニット容器内で固化される冷却ステップをさらに含むことが可能である。
冷却ステップは、空気を吹き込むことによって行われ得る。
冷却ステップは、１分〜５分の間に実質的に含まれる時間および好ましくは約４分の間にわたって実施され得る。
【００２２】
冷却ステップは、調製ステップ時に加熱により事前に流体化された固形化粧品製品で塗布チューブを充填するための方法が実装される場合に特に有用である。冷却は、初めの固形状態に化粧品製品を戻し、それを成形し、この製品を顧客が入手し得る状態にするのを加速させる。
【００２３】
さらに、本発明の１つの目的は、チューブ内に摺動可能に取り付けられたピストンによって閉じられた第１の端部と、閉じられた出口ノズルを形成する第２の端部との間に延在し、固形形態の化粧品製品で充填されたチューブを備える、カプセルでもある。
【００２４】
前で説明したように、かかるカプセルは、パッケージング後に、従来の塗布デバイスに比べて製品（例えばリップスティックチップ用の）の保管がより良好になり得るという利点を有する。
【００２５】
カプセルの両端部の一方を閉じるピストンが存在することにより、本発明による方法全体を通して、カプセル内に収容された化粧品製品と、後に定義される本発明による充填デバイスの任意の取外し不能部分との間の接触が回避される。これは、大量生産で容器を充填する通常の充填デバイスの場合とは異なる。
【００２６】
本発明によるカプセルの様々な実施形態において、以下の性質の中の１つおよび／または他のものが、有利に使用され得る。
カプセルの出口ノズルは、分離可能ヘッドにより気密的に閉じられ得る。
剛性キャップが、カプセルのピストンに対接して配置され得る。
カプセルのチューブは、１００℃超の融点を有する固形材料から作製される。
チューブは、透明材料から作製され得る。
また、カプセルのピストンは、透明材料からも作製され得る。
【００２７】
また、チューブに対するかかる透明材料の使用により、収容される化粧品製品の色調が、本発明による方法を実装する前に視認可能となる。
【００２８】
取外し可能であるカプセルの充填は、前記カプセルの分離不能端部による前記化粧品製品の高温での流し込みにより、および次いでピストンの挿入による閉鎖によって行われ得る。
【００２９】
ユニット容器内にパッケージングされた化粧品製品の生産のための使用後に、カプセルは、オペレータにより回収され、再生利用され得る。
【００３０】
カプセルは、収容する化粧品製品に適合性を有し、方法を実装するための条件（例えば加熱、冷却、分離）との適合性を有する任意のタイプの剛性材料から作製され得る。
【００３１】
有利には、材料は、白色で彩色もしくは染色されたガラスであることが可能であり、または装飾用外部ドレッシングもしくは示唆的インプレッション（例えばマーク、参照等）、熱可塑性ポリマー（例えばポリエチレン、ポリエチレンテレフタレート、もしくはポリオキシメチレン）、もしくは熱上昇効果の下で変形しない任意の他の材料を含み得る。
【００３２】
有利には、カプセルのチューブは、円筒形状を有する。
【００３３】
ピストンの形状は、前記チューブの壁部に沿って妨害されずに摺動し、死容積は別としてカプセルから全ての化粧品製品を押し出すのに適した形状である。
【００３４】
最後に、本発明の目的は、上記で定義したようなカプセルから化粧品製品でユニット容器を充填するためのデバイスである。前記カプセルは、前記デバイスから取外し可能である。前記デバイスは、
前記カプセルの出口ノズルを開くのに適した開封するための手段と、
前記出口ノズルにより前記化粧品製品を押し出すためにカプセルのピストンを作動させることによって塗布チューブ内で流体化された前記化粧品製品を流し込むのに適した、前記化粧品製品を流し込むための手段と
を備える。
【００３５】
特に好ましい実装形態によれば、本発明の目的は、取外し可能カプセルを使用しており、バルク性が低いため、使用が簡単であり、事前にトレーニングを受けたオペレータにより容易に使用可能であり、いかなる特殊なメンテナンスも、特に２度の使用の間における洗浄を一切必要としない、化粧品製品ユニット容器用の充填デバイスである。これらの利点により、例えば色調、質感、およびさらには塗布チューブもが消費者自身により選択可能なリップスティックチューブなどの、消費者による選択により個人用に作製された化粧品製品を作製するために前記デバイスを販売場所に設置することが可能となる。
【００３６】
より具体的には、本発明は、ある用量の化粧品製品を収容する取外し可能カプセルの使用を介した、例えばリップスティックチューブなどの特に固形の前記化粧品製品のユニット容器のための充填デバイスを目指すものである。
【００３７】
また、本発明によるデバイスは、
加熱によりカプセル内に収容された前記化粧品製品を流体化させ、前記カプセルの出口ノズルを開封するのに適した、カプセルを調製するための手段と、
前記出口ノズルにより前記化粧品製品を押し出すためにカプセルのピストンを作動させることによってユニット容器に前記流体化された化粧品製品を流し込むのに適した、前記化粧品製品を流し込むための手段と
を備える。
【００３８】
また、本発明によるデバイスは、以下の特徴を個別にまたは組合せで備え得る。
カプセルを調製する前記手段は、
前記カプセルを受けるのに適した第１の受領ハウジングと、
前記第１のハウジングを通して前記カプセルを加熱するのに適した加熱要素と、
前記カプセルの前記出口ノズルを開封するのに適した開封要素と
を備えることが可能である。
加熱要素は、前記第１のハウジングの周囲に分散した加熱用抵抗と、さらにハロゲンデバイスとを備えることが可能である。
カプセルの出口ノズルを開封するための手段は、非作動位置と、ブレードが出口ノズルを切断する作動位置との間で可動に取り付けられた少なくとも１つの切断ブレードと、さらに前記作動位置と前記非作動位置との間で前記ブレードを移動させるのに適したアクチュエータとを備え、およびその逆となることが可能である。
流し込むための手段は、ジャッキに関連付けられたロッドを備えることが可能であり、前記ロッドは、収納非作動位置と、ロッドの一方の端部が前記カプセルの前記チューブ内に摺動可能に取り付けられたカプセルの前記ピストンに圧力をかけるのに適した位置となる作動位置との間での移動において可動に取り付けられる。
デバイスは、初めは空である前記化粧品製品ユニット容器を、または少なくとも１つの化粧品製品塗布チューブ機構を受けるのに適した第２の受領ハウジングを備えることが可能である。
化粧品製品ユニット容器を受ける第２のハウジングは、前記第２の受領ハウジングに前記化粧品製品ユニット容器を挿入するのを助ける収納位置と、前記化粧品製品ユニット容器が前記カプセルの出口ノズルに隣接して位置するのに適した位置である充填位置との間での移動において可動に取り付けられた引出し内に配置され得る。
デバイスは、前記第２の受領ハウジングを通して前記化粧品製品ユニット容器を冷却するための手段を備え得る。
前記デバイスは、切離し後の分離可能ヘッドを回収するための手段を備えることが可能であり、ヘッドは、ノズルの開封前にカプセルの出口ノズルを閉じるのに適する。
デバイスは、上記で定義したような方法のステップの進捗をオペレータに通知するために前記オペレータにメッセージを送達するのに適した、および／または前記デバイスを使用するための指示をオペレータに与えるのに適したディスプレイ画面を備えることが可能である。
【００３９】
化粧品製品は、バイアル内またはチューブ内にパッケージングされた任意の化粧品組成物であることが可能である。
【００４０】
化粧品製品は、皮膚、唇、まつ毛、もしくはさらには眉毛のケアおよび／またはメークアップを目的としたものであることが可能である。
【００４１】
例えば、化粧品製品は、リップスティック、リップグロス、マスカラ、ファンデーション、皮膚上のくまもしくは吹き出物を隠すための製品、顔のしわまたは小じわを埋めるための製品、またはさらには染色クリームもしくは無染色クリームなどであることが可能である。
【００４２】
化粧品製品の質感、および特にその粘度は、前述のものなどのカプセル内にパッケージングされ、次いで充填デバイスのピストンの作動によりカプセルから押し出され得るように、そして最終的にはユーザによる快適な使用が可能となり、メークアップ効果、塗布後の持ちの良さ、またはケア効果に関して期待される成果をもたらし得るのに適したものである。
【００４３】
このようにすることで、メークアップ製品は、有利には半固形もしくはペースト状の形態か、またはさらには固形形態をとることが可能となる。
【００４４】
特に、質感は、カプセルの開封後に重力によりカプセルから外部に自由に流出しないように適合化される。
【００４５】
製品が固形形態である場合には、パッケージングされるカプセルから製品を押し出し、容器内に押し込み、次いでこの容器内で冷却することによって硬化し初めの質感へと戻すために、加熱要素および冷却手段が使用される。
【００４６】
ペースト状または半固形状の質感の場合には、カプセルからの化粧品製品の押出しをより容易にし、これを冷却して容器の充填後に化粧品製品の最終質感を迅速に再確立するように、温度および／または加熱時間を適合化することによって製品を加熱することが可能である。
【００４７】
質感は、親水性相もしくは疎水性相でまたはさらにはワックスでこの効果を得るために用いられる例えば天然ポリマーまたは合成ポリマーなどのゲル化賦形剤または濃化賦形剤の使用によって適合化され得る。
【００４８】
化粧品製品は、防腐剤、酸化防止剤、ＵＶフィルタ、着色顔料などの粉末状付加剤、パール様光沢粉末、または皮膚もしくは唇の上への化粧品製品の塗布の快適性を向上させる合成粉末をさらに含み得る。
【００４９】
従来は、本発明による方法を利用して調製されるタイプの固形製品は、有利にはワックスもしくはワックス混合物、油、テクスチャライジングポリマー、および脂肪相を含み得る無水物であるベースから構成される。このベースは、例えばワックスが存在する場合には不透明であることが可能であり、または中に分散する顔料の色調を強調するために半透明もしくは透明であることも可能である。
【００５０】
メークアップまたはケア用の化粧品製品は、顔の皮膚、唇の表面、目もしくはまつ毛の輪郭などの表面上に接触することによって付着される。
【００５１】
本説明ではユニットパッケージまたはパッケージングユニットとも呼ばれる容器は、収容する化粧品製品および／または消費者によるその使用に適した任意のタイプのパッケージングであることが可能である。
【００５２】
容器は、例えば螺合によりキャップによって閉じられるバイアルであることが可能である。
【００５３】
キャップは、マスカラを塗布するためのブラシまたは唇に製品を塗布するためのブラシなどの、製品用の塗布デバイスをそれ自体に組み込むことが可能である。この場合に、塗布デバイスは、化粧品製品中に浸漬され、次いで引き出されて、ユーザによって皮膚、唇、まつ毛、または眉毛の上に適用される。
【００５４】
バイアルは、使用前に消費者により塗布デバイス上の余剰製品を除去するために用いられるすり切りデバイスをそれ自体に備えることが可能である。固形化粧品製品の場合には、有利には、容器は、以下の詳細な説明の主題に相当するものなどの塗布チューブである。
【００５５】
本発明の他の特徴および利点が、添付の図面を参照とすることにより、非限定的な例として示される一実施形態の以下の説明から明らかになろう。
【図面の簡単な説明】
【００５６】
【図１】本発明によるカプセルの側方断面図である。
【図２】空の塗布チューブ機構の側方断面図である。
【図３】本発明による塗布チューブを充填するためのデバイスの投影斜視図である。
【図４】カバーが開いている場合の図３のデバイスの投影斜視図である。
【図５】カプセルおよびデバイスが斜視で図示された状態の、デバイスのハウジング内に配置されつつあるカプセルを示す図である。
【図６】デバイス用のハウジング内に配置されたカプセルの斜視図である。
【図７】加熱手段がアクティブである場合の、カプセルを収容したハウジングに対するデバイス用の引出しの位置を示すために壁部が切断されたまたは取り出されたデバイスの側面図である。
【図８ａ】図２に示すような塗布チューブの位置決めを可能にするために引出しが開位置にある状態の、図３〜図７のデバイスの斜視図である。
【図８ｂ】図２に示すような塗布チューブの位置決めを可能にするために引出しが開位置にある状態の、図３〜図７のデバイスの斜視図である。
【図９ａ】カプセルの端部が切断される瞬間のデバイス内での引出しの位置決めを示す概略側面図である。
【図９ｂ】機構が開いたカプセルに位置決めされる瞬間のデバイス内での引出しの位置決めを示す概略側面図である。
【図９ｃ】各プッシャがブレードを担持する状態で、２つのブレードがプッシャを担持する２つのローラにより作動されるのを示す、部分前方斜視における引出しの別の概略図である。
【図１０】機構がその内容物を示すために断面にて図示された、引出し内における乾燥ステップ時の化粧品製品充填機構の概略側面図である。
【図１１】引出しの冷却および開いた後の塗布チューブの取出しの概略斜視図である。
【図１２】初めに機構を閉じる端部シールの取出し後の塗布チューブの状態および機構の動作の確認ステップの概略図である。
【発明を実施するための形態】
【００５７】
様々な図面において、同一の参照符号は、同一または同様のアイテムを示す。
【００５８】
説明されることになる図面は、リップスティック塗布チューブを充填するためのデバイスを、すなわち顧客の要望に応じて一度に１つの塗布チューブを充填するために用いられるデバイスを示す。
【００５９】
説明される例が、リップスティックチューブに関する場合でも、本発明は、例えばグロスもしくはマスカラのバイアル、またはスティック形状を有するファンデーションのチューブ、アイシャドーチューブ、または固形スティック形態になり得る任意の他のメークアップ製品もしくはケア製品などの、任意の化粧品製品ユニット容器に適用されることが理解されるべきである。また、本発明は、例えばマニキュア液のバイアルなどのユニット液体製品バイアルの調製にも適用され得る。この最後の例では、充填デバイスおよび充填方法は、揮発性溶剤の使用にもさらに適合化されることになる。
【００６０】
以下に説明するデバイスは、固形化粧品製品を収容するユニット塗布チューブを調製する役割を果たす点において本発明の特定の一実装形態である。特に、本明細書において説明されるデバイスは、カプセルを加熱するための要素と、塗布チューブを冷却するための手段とを含むが、これらは、化粧品製品がカプセル内および塗布チューブ内の両方において固形形態ではなく、選択された容器に流し込むために流体化される必要のない場合には省かれ得る。
【００６１】
当業者は、加熱手段および／または冷却手段を必要としないペースト状または半固形の組成物の場合だけでなく、固形、ペースト状、または半固形の質感を有する化粧品製品でバイアルを充填するためにも使用可能となるように、以下に説明されるデバイスを適合化することが可能である。
【００６２】
説明されることとなるデバイスは、顧客により選択された色および質感を有するリップスティック組成物（化粧品製品）を収容するカプセルからリップスティック塗布チューブ機構を充填する役割を果たす。
【００６３】
リップスティック塗布チューブ機構を充填する役割を果たすこのデバイスにより、顧客が、前記機構が組み込まれることとなる塗布チューブを自身で選択することもまた可能となる。
【００６４】
このようにすることで、完全に個人用に作られたリップスティックチューブが、本発明によって要望に応じて作製され得る。
【００６５】
図１は、第２のステージで説明されることとなる充填デバイスで使用され得るカプセル１を示す。
【００６６】
カプセル１は、ほぼ管状形状を有し、第１の端部３から第２の端部４まで延在する、以下の説明では「シリンダ」と区別なく呼ばれる円筒形状チューブ２を備える。
【００６７】
カプセル１のシリンダ２は、ガラス、熱可塑性ポリマー（ポリエチレン、ポリエチレンテレフタレート、もしくはポリオキシメチレン）、または熱上昇の影響下で変形しない任意の他の材料から作製され得る。実際に、および以下で分かるように、本発明による充填方法は、メカニズムの充填が可能になるように、カプセルの内容物（リップスティック１０、あるいはケアおよび／またはメークアップ用の任意の他の組成物）を流体化するためにカプセルを加熱することを必要とする。
【００６８】
特に、カプセルのシリンダ２は、カプセルのシリンダ２は、例えば１００℃超の温度に耐える上記に挙げたものや別のものなどの固形材料から作製される。
【００６９】
さらに、使用される材料は、収容対象のリップスティック組成物に対して不活性である。
【００７０】
さらに、有利には、シリンダ２は、顧客がカプセル内に収容されるリップスティック組成物１０の色調を明確に見ることが可能となるような透明材料から作製される。
【００７１】
透明材料は、カプセル内に収容される製品の形状および色が透明性により明確に分かるような、任意の染色されていない材料であることが理解される。
【００７２】
カプセル１のシリンダ２の第１の端部３は、充填デバイスのハウジングからのカプセル１の容易な取出しを可能にするショルダ５を有する（以下を参照）。
【００７３】
本発明のコンテクストから離れることなく、カプセル１は、例えば外部カラーなどの同一機能を果たす任意の他の手段を有することが可能である。
【００７４】
本発明によれば、カプセル１のシリンダ２の第１の端部３は、シリンダ２内に摺動可能に取り付けられたピストン６によって閉じられる。
【００７５】
ピストン６は、ストッパと同一の方法でカプセル１を気密的に閉じる。ピストン６は、広告媒体としての役割を果たすことが可能であり、外観上の理由からシリンダ壁部を通して視認可能な金属フィルムで覆われることが可能である。
【００７６】
ピストン６は、カプセル１に収容されるリップスティック１０の色がやはりピストン６を通して視認可能となり得るように、透明材料から作製され得る。
【００７７】
ピストンを構成する材料は、シリンダが収容するリップスティック組成物に対して不活性である。
【００７８】
さらに、図示するカプセルの実施形態のコンテクストでは、ピストン６は、剛性材料から作製されたカバー７で覆われることが可能であり、これは、シリンダ２内におけるピストンの移動を可能にするためのピストンに対するロッドのより良好な適用を確保する。また、ピストンの移動のためにロッドを中心に位置決めするために、カバー７は、シリンダ２の軸上にロッドを中心に位置決めするようにロッドの端部に対応するインプリント８を備えることも可能である。
【００７９】
また、カバー７は、透明材料から作製され得る。
【００８０】
カプセル１のシリンダ２の第２の端部４は、分離可能ヘッド１１により初めに閉じられるカプセルの出口ノズル９を形成する。
【００８１】
分離可能ヘッド１１は、以降で説明されることになる、充填デバイスにおいてヘッドの分離を実施する手段を案内し、そのようにして分離可能ヘッド１１の分離をより容易にする役割を果たす、外周溝１２を有する。
【００８２】
第２の端部は、外観上の理由から金属層で被覆され得る点に留意されたい。
【００８３】
図１では、カプセル１は、固形形態においてリップスティック組成物１０で充填される。
【００８４】
カプセル１は、１本のリップスティックを調製するために用いられる量のリップスティック組成物を備える。
【００８５】
この量はおそらく、リップスティックのスティックの調製時のカプセル内の死容積に対処するために、場合によっては必要な量を若干上回る量であることが可能である。
【００８６】
図２に関して、図２は、以降で説明されることとなる充填デバイスを介して充填されるのに適したリップスティック塗布チューブ機構１３により構成されるユニット容器を示す。
【００８７】
機構１３は、第１の端部１５と第２の端部１６との間に延在する保護チューブ１４を備え、保護チューブは、中心軸Ｘを有するほぼ円筒状の回転形状を有する。
【００８８】
第２の端部１６は、例えばシール１７などの熱融着により閉じられる。また、シール１７は、第２の端部１６において入れ子状になされ得る。また、第２の端部１６は、切り抜き形状部１８を有する。
【００８９】
保護チューブ１４は、例えばプラスチックから作製され、任意選択ではその可視部分の外部にて（すなわち第２の端部１６の付近のその部分にて）装飾用金属スリーブ１９により覆われ得る。
【００９０】
保護チューブ１４は、例えばプラスチックから作製されたカップ２０を備える。
【００９１】
カップ２０は、底部２１と、軸Ｘ上に中心を置くほぼ円筒状の回転形状を有する側壁部２２とを有する。この側壁部２２は、保護チューブ１４の第２の端部１６の方向に底部２１から自由端部２３まで延在する。
【００９２】
カップ２０の底部２１は、中央開口２４を備え、またカップ２０の底部２１の下方に単一部分から形成された中央先端部２５を備える。
【００９３】
機構１３は、機構１３の下方部分を形成するベース２７を備える操縦デバイス２６をさらに備える。
【００９４】
ベース２７は、カップ２０の中央開口２４と整列された、軸Ｘを有する円筒状貫通開口２９を有する底部２８を備える。
【００９５】
ベース２７は、リップスティックチューブ保護カバーが入れ子状に重なり得るより薄い部分３０を備えてもよい。
【００９６】
ベース２７は、保護チューブ１４に対して回転可能に組み付けられ得る。そうするために、機構１３は、保護チューブ１４の内部でＸ軸に沿って摺動するスライダ３２と剛体的に連結されるねじ３１と、ねじ３１に螺着されベース２７と回転的に剛体的に連結されるナット３３とを備える。
【００９７】
本発明の核心は、機構１３の実装形態にもなければその動作にもないため、これらは説明されない。しかし、機構１３の動作は、先の特許出願ＦＲ２，９５２，９１１に記載されるものと同一であり、この特許出願の内容は、参照により本明細書に組み込まれる。
【００９８】
次に、図３〜図１０を参照として、リップスティック塗布チューブを充填するためのデバイスを説明する。
【００９９】
図３は、図１に示すものなどのカプセル１とまた図２に示すものなどの機構１３との両方を受けるように設計された充填デバイス３４を示す。
【０１００】
充填デバイス３４は、デバイス３４の前方表面３６上に実装され、カプセル１を受けるように設計されたコンパートメント３５を備える。
【０１０１】
コンパートメント３５は、実質的に垂直な軸Ｚを有するヒンジ３８を中心として枢動することによって閉位置（図３に図示）と開位置（図４に図示）との間で可動に取り付けられた保護カバー３７によって閉じられる。
【０１０２】
カバー３７と単一部分として作製されるハンドル３９が、ヒンジ３８の対向側に設けられ、それによりオペレータ１００がハウジングを開くためにハウジングを把持することがより容易になる。
【０１０３】
ハンドル３９の両側においてハウジングとデバイス３４との間に配置される磁石システム４０は、カバー３７を閉位置に保持する役割を果たす。
【０１０４】
また、デバイス３４は、側方表面４１にディスプレイ画面４２を備える。このディスプレイ画面の機能は、充填デバイス３４の動作状態に関する情報もしくはデバイス３４を動作させるための指示をオペレータ１００に与えることか、または充填デバイス３４により実装される充填方法の進行状態をオペレータに示すことである。換言すれば、画面４２は、デバイスを活用するオペレータに情報を与える。
【０１０５】
また、画面４２は、前記画面４２上の特定の事前設定領域に接触することによりいくつかのステップの実装を制御するために触覚性を有するおよびこれに適した手段を備えることによって、デバイス３４の動作を制御する役割を果たすことが可能である。
【０１０６】
また、デバイス３４の側方表面４１は、回収引出し４３を備え、カプセル１から分離可能なヘッド１１が、リップスティック塗布チューブ機構１３の充填方法時に切り離された後にこの引出し４３に回収される。
【０１０７】
回収引出し４３は、側方に開き、リップスティックの残渣を有する分離可能ヘッドに接触する必要性を伴うことなく空にし得るように好ましくは取外し可能である。
【０１０８】
最後に、側方表面４１は、充填デバイス３４の内部要素のメンテナンスを可能にするためにこれらの要素にアクセスするためのハッチ４６を備える。
【０１０９】
また、デバイス３４の前方表面３６には、カプセルコンパートメント３５の下方に、充填デバイス３４内に機構１３を挿入するための第２の引出し４４が配置される。
【０１１０】
引出し４３および４４は、オペレータ１００がそれらを把持するのをより容易にするためのハンドル４５を共に備える。
【０１１１】
カプセル１を受けるように設計されたコンパートメント３５は、カプセル１の形状に対して実質的に相補的な形状を有する受領ハウジング４７を備える。換言すれば、ハウジング４７の内方形状は、実質的に円筒状である。
【０１１２】
ハウジング４７は、内部にカプセル１をオペレータ１００が挿入するための、コンパートメント３５の内部に向かって開口した端部を有する（図５を参照）。
【０１１３】
ハウジング４７は、コンパートメントの底部４９の下方に装着されたボックス４８内部に少なくとも部分的に配置される。この底部４９は、デバイス３４が水平表面上に載置されている場合には、実質的に水平である。
【０１１４】
ボックス４８は、ボックス４８が装着された（例えばねじ５１により）円筒状ヘッド５０によってコンパートメント３５の底部４９上に保持される。円筒状ヘッド５０は、コンパートメント３５の底部に装着される。換言すれば、円筒状ヘッド５０およびボックス４８は、コンパートメント３５の底部４９を形成する壁部のいずれかの側にそれぞれ位置する。
【０１１５】
こうすることにより、ボックス４８のヘッド５０のみが、コンパートメント３５内で視認可能となり、またはハウジング４７は、ボックスのヘッド５０を貫通する。
【０１１６】
図６で分かるように、カプセル１がハウジング４７に挿入されると、シリンダ２の第１の端部３は、ボックスのヘッド５０の上方表面５２の上方に突出する。このようにすることで、ハウジング４７からカプセルを取り出すためにカプセルを把持することが、特により容易になる。
【０１１７】
第１の端部３のこの突出位置を可能にするために、ハウジング４７は、カプセル１のシリンダ２の高さｈ未満の深さｐを有する。
【０１１８】
さらに、ハウジング４７は、貫通開口５４を有して開口した切頭錐体形状底部５３を有する。貫通開口５４は、分離可能ヘッド１１の直径よりも大きな直径を有する断面を有するため、前記分離可能ヘッドが通過可能となる。底部５３に関して、これは、カプセル１のシリンダ２の第２の端部４が載置され得る実質的に切頭錐体形状を有する。
【０１１９】
図７により詳細に示すボックス４８は、ハウジング４７の周囲に均一に分散されボックス４８の深さｐの少なくとも１つの大きな部分（ハウジング４７の深さｐの少なくとも半分）にわたり存在する少なくとも１つの加熱用電気抵抗５５を備える。
【０１２０】
また、ボックス４８は、２つの切断ブレード５６を備え（図９ｃにおいて視認可能）、各ブレード５６は、切断位置と休止位置との間の変位において可動に取り付けられたプッシャ５７上に装着される。
【０１２１】
プッシャ５７は、各プッシャ５７がばね５８により拘束されることによって休止位置に保持される。２つのプッシャ５７は、移動される２つの円筒状ローら５９により押されると、切断位置に置かれる。
【０１２２】
円筒状ローラ５９の移動は、以降で説明する。ローラ５９は、以降で説明される充填デバイス３４の引出し４４の要素に装着される。
【０１２３】
このように、２つのブレード５６は、非作動位置（プッシャ５７の休止位置に対応する）と、ブレード５６が出口ノズル９を開封する作動位置（プッシャ５７の切断位置に対応する）との間で可動に取り付けられる。
【０１２４】
さらに、プッシャ５７、ばね５８、および円筒状ローラ５９により構成されるアセンブリは、前記作動位置と前記非作動位置との間でブレードを移動させるのに適したアクチュエータを構成し、およびその逆となる。
【０１２５】
ハウジング４７を備える、ならびに加熱手段５５およびカプセル１の出力ノズル９の開封を確保する手段５６および５７を備えるボックス４８は、カプセルを調製するための手段を構成する。この手段は、加熱によってカプセルの内容物（リップスティック１０のスティックに応じた）を流体化し、流体化された内容物をカプセルから抽出するためにカプセルを開く。
【０１２６】
本発明によれば、充填デバイス３４は、リップスティック１０を流し込むための手段をさらに備える。次に、この手段が、図３、図４、図９ａ、および図９ｂを参照することにより説明される。
【０１２７】
特にカプセル１からリップスティック１０を押し出すために用いられる流し込みのための手段は、コンパートメント３５内に垂直に配向されたロッド６０を備える。
【０１２８】
ロッドは、ロッドがボックス４８から分離され、コンパートメント３５を有する側方表面６２中に配置された溝６１内に格納（または収納）される非作動位置（図３および図４に示す）と、ロッド６０の一方の端部６３がカプセル１のピストン６に圧力をかけるのに適した作動位置との間で可動に取り付けられる（図９ａおよび図９ｂを参照）。
【０１２９】
ロッドの作動位置から非作動位置への切替えを行うために、ロッドは、ロッドを垂直に移動させるために用いられるジャッキ（図示せず）に連結される。ジャッキは、充填デバイス３４の本体内に配置される。さらに、ジャッキと組み合わされたロッド６０により構成されるアセンブリもまた、ロッド６０の軸をボックス４８のハウジング４７の軸に合わせるために、水平移動で可動に取り付けられる。
【０１３０】
ロッドおよびジャッキの水平移動を実現する手段は、デバイス３４の本体内にやはり囲まれているため、図面内に見ることができない。これらは、ジャッキシステムまたは当業者には周知の任意の他の手段として実装され得る。
【０１３１】
リップスティック塗布チューブ機構１３にリップスティック１０を流し込むのを可能にするために、充填デバイス３４は、上下逆に（すなわちベース２７の底部２８が上方に配向された状態で上下反転されて）配置された機構１３を受けるのに適した、および機構１３のベース２７の底部２８中に位置する機構の貫通開口２９による機構１３の充填を可能にするためハウジング４７の軸内に（すなわちカプセル１がハウジング４７内に配置された場合のカプセル１の軸内に）機構１３を配置するのに適した、第２のハウジング６４を備える。
【０１３２】
第２のハウジング６４は、特に図８ａおよび図８ｂに示すように、充填デバイスの第２の引出し４４内に配置される。
【０１３３】
引出し４４は、実質的に水平のトレイ６６を備え、引出し４４の開き方向に細長い形状を有する貫通開口６７が、このトレイ６６中に配置される。
【０１３４】
ハウジング６４は、引出し４４のハンドル４５に向かって配向されたハウジング６４の端部６８の、貫通開口６７内に装着されたリング６５から作製される。
【０１３５】
細長形状の貫通開口６７の配向および前記開口６７内のリング６５の位置により、ボックス４８のハウジング４７の軸に（換言すればカプセルの出口ノズルに隣接して、図９を参照）機構１３が位置決めされる直前に（引出し４４が閉じている間に取外しヘッド１１が切断された時に）、開口６７を通した取外し可能ヘッド１１の排出が可能となる。
【０１３６】
端部６９が端部６８の対向側に位置する場合の、貫通開口６７の一方の端部６９の領域にて、および貫通開口６７の対称軸の各側において、トレイ６６は、２つのコラム７０を備える。単一のコラムが、引出しを概略側面図で示す図７、図９ａ、および図９ｂにおいて視認可能である。
【０１３７】
各コラム７０は、その自由端部７１において、プッシャ５７を移動させるために用いられる２つの円筒状ローラ５９の一方を担持し、これらのプッシャ５７は、分離可能ヘッド１１を切断することによりカプセル１のノズル９の開封を行う。
【０１３８】
円筒状ローラ５９およびコラムは、同軸状である。
【０１３９】
各円筒状ローラ５９の上方にも、停止要素７２がやはり同軸状に設置される。停止要素７２は、充填デバイス３４の壁部７４の一方の端部７３に対接して停止状態になることにより、引出し４４が完全に開くのを阻止する。
【０１４０】
壁部７４は、引出し４４が閉じられた場合には、引出し４４の壁部７５に実質的に到達する。
【０１４１】
最後に、引出し４４のトレイ６６は、上方に向けられたハロゲンデバイス７６を備える。
【０１４２】
ハロゲンデバイス７６は、トレイ６６の一方の端部７７に設けられる。この場合に、端部７７は、引出し４４の奥に実質的に位置する。
【０１４３】
ハロゲンデバイス７６は、カプセル１の端部４に位置するリップスティック１０、すなわち分離可能ヘッド１１の領域に配置されたリップスティック１０を流体化する役割を果たす。実際に、ボックス４８内に配置された加熱用抵抗５５は、カプセル１内のリップスティック１０を均質に流体化するには十分ではなかったことが観察された。リップスティック１０が、カプセル１の出口ノズル９の領域で十分に流体化されない場合には、
リップスティックが、不十分に流動状態となるか、または
リップスティックが、機構の底部に位置するカバー７７上に、およびしたがって形成されることとなるリップスティックのスティックの端部に、美観を損なう、許容され得ない材料の堆積物を形成する。
【０１４４】
カプセル１がハウジング４７内に配置された場合の、ハウジング４７の付近へのおよびしたがって分離可能ヘッド１１の付近へのハロゲンデバイス７６の適切な位置決めを確保するために、本発明による充填デバイス３４は、ハロゲンデバイス用の位置センサ７８を備え得る。
【０１４５】
センサ７８が、向かいにハロゲンデバイスの存在を検出すると、センサ７８は、ハロゲンデバイスの点灯を命じる（図７を参照）。
【０１４６】
最後に、充填デバイス３４は、リップスティック１０充填機構を冷却するための手段７９を備える。
【０１４７】
冷却手段７９は、引出し４４が閉位置にある場合に、ハウジング６４の領域に設けられる。このようにすることで、冷却手段７９は、リップスティックのチューブを作製する間に、機構１３内に配置された流体化されたリップスティック１０を冷却および固化するために機構１３に比較的近くなる。
【０１４８】
冷却手段７９は、図１０でファンにより概略的に象徴される通気システムまたはブロワシステム８０を備えることが可能である。
【０１４９】
次に、本発明による方法は、図３〜図１２を参照として説明される。この方法は、要望に応じてリップスティックのチューブを作製するために、直前で説明した充填デバイス３４を使用する。
【０１５０】
初めに、本発明による充填デバイス３４が、図３に示すような、すなわちその保護カバー３７が閉位置にある状態で登場する。
【０１５１】
かかるデバイスは、ブティックにおいて顧客に利用可能なものとして作製され得るか、またはブティックにおいてオペレータにより使用され得る。オペレータは、顧客の要望に応じてリップスティックチューブ機構を充填する。
【０１５２】
初めに、充填デバイス３４のディスプレイ画面４２は、デバイス３４が重点を実施することが可能な状態にあるか、またはメンテナンスが必要であるかをオペレータ１００に示す。
【０１５３】
顧客が、個人用に作られたリップスティックチューブを求める場合には、顧客は、初めに、様々な色の一連のカプセル１を備える陳列ケースから自身が求めるリップスティック１０の色を選択する。
【０１５４】
次いで、オペレータ１００は、所望の色のカプセル１を取り出す。
【０１５５】
次いで、オペレータ１００は、充填デバイス３４の保護カバー３７を開き（図４）、ハウジング４７内にカプセル１を上下逆の状態で配置する（図５を参照）。
【０１５６】
次いで、カプセル１の端部３は、ボックス４８のヘッド５０の上方表面５２の上方に突出した状態で位置決めされる。
【０１５７】
次いで、オペレータ１００は、保護カバー３７を閉じる。
【０１５８】
本発明によれば、次いで、カプセル内に収容されたリップスティック１０が、カプセルの加熱による調製ステップにより流体化される（図７）。この加熱は、触覚性であり得る画面４２を介してオペレータ１００により制御され得る。
【０１５９】
また、加熱は、カプセル１の存在がハウジング４７内において検出された場合に、およびハロゲンデバイス７６がセンサ７８の対向側に正確に配置された場合に、自動的になされ得る。
【０１６０】
加熱を開始するために、第１の加熱位置にしたがって引出し４４を配置するために引出し４４を若干引っ張るように、画面４２を介してオペレータ１００に示され得る。この位置では、ハロゲンデバイス７６は、ハウジング４７を越えて延在するカプセル１の分離可能ヘッド１１の対向側に配置される。
【０１６１】
次いで、画面が、待機時間をオペレータ１００に示し、加熱ステップが終了する時間を示し得る。
【０１６２】
本発明によれば、加熱ステップは、１〜５分の間継続する。好ましくは、加熱ステップは、４分間継続する。
【０１６３】
カプセルが加熱される温度は、製品の流体化が確実となる温度（約７５℃）に製品が到達するように、実質的に８０〜１００℃の間に含まれる。理想的には、加熱温度は実質的に９０℃である。
【０１６４】
加熱が終了すると、画像４２は、リップスティック機構１３が充填デバイス３４に挿入され得ることをオペレータ１００に示す。
【０１６５】
次いで、オペレータ１００は、引出し４４を開き、引出しのハウジング６４に機構１３を挿入する。ハウジング６４内では、機構１３は、上下逆の状態で、すなわち操縦デバイスのベース２７が上方に配向された状態でやはり配置される（図８ａおよび図８ｂを参照）。
【０１６６】
次いで、オペレータ１００は、引出し４４を閉じる。この閉鎖動作により、複数の動作が同時に作動される。
【０１６７】
初めに、引出し４４を閉じることにより、円筒状ローラ５９を担持する２つのコラム７０が移動し（図９ｃ）、これが、プッシャ５７を移動させると共に、カプセル１から分離可能ヘッド１１の端部を切断する。分離可能ヘッド１１は、開口６７を通り回収引出し４３内へと落下する（引出し４３は、読解を容易にするために図９ａおよび図９ｂではカップによって非常に象徴的に示される）。
【０１６８】
また、引出し４４が正確に閉じられると、この閉鎖が検出され、ロッド６０が水平変位デバイスにより移動され、ジャッキがロッド６０の垂直移動をもたらし、ロッド６０がピストン６上に担持されることによりカプセル１内に進む。
【０１６９】
次いで、流体化されたリップスティック１０が、出口ノズル９を通りカプセル１から押し出され、機構１３の底部の貫通開口２９内に注ぐ（図９ｂを参照）。
【０１７０】
ピストン６がカプセル１の底部に到達すると、ロッド６０の下降が停止される。
【０１７１】
次いで、ロッド６０が、上昇し、その格納溝６１内の初期収納位置へと戻る。
【０１７２】
次いで、冷却ステップが、充填デバイス３４により自動的に開始される。
【０１７３】
次いで、画面４２が、冷却ステップが進行中であることをオペレータ１００に示す。また、画面４２は、リップスティック１０充填機構１３の冷却時間の間にわたり秒読みを示すことが可能である。
【０１７４】
本発明による方法のコンテクストでは、図１０に概略的に示す冷却ステップは、１〜５分の間に実質的に含まれる時間にわたり行われる。好ましくは、冷却ステップは、実質的に４分間にわたり継続する。
【０１７５】
具体的には、冷却ステップは、機構１３の保護チューブ１４内でリップスティック１０を固化する役割を果たす冷気を機構１３のスリーブ１９に吹き付けることによって行われる。
【０１７６】
冷却が実施されると、画面４２は、オペレータにそのことを示し、固化されたリップスティック１０で充填された機構１３を回収するようにオペレータを促す（図１１を参照）。
【０１７７】
次いで、オペレータ１００が、保護チューブ１４の端部を閉じるシール１７を手動により除去し、機構１３の動作を検証するためにおよびリップスティック１０の固化されたスティックを視覚的に検査するために、機構１３を作動させる。
【０１７８】
次いで、オペレータ１００が、顧客の選択したリップスティックチューブに機構１３を挿入する。
【０１７９】
前述の説明から、本発明により顧客の選択による個人用に作られたリップスティックチューブがどのように作製可能となるかが理解される。
【０１８０】
さらに、本発明の充填デバイスは、加熱ステップ後にカプセルからリップスティック組成物を押し出す機能を有する閉鎖ピストンが挿入された取外し可能カプセルを備える点において差別化される。
【０１８１】
カプセル内部にピストンを挿入することは、充填デバイスの取外し不能部分とリップスティック組成物との間のいかなる接触も回避させるという利点を有する。このようにすることで、流し込み動作が終了すると、組成物がデバイスの一部を汚染することなく、空のカプセルがデバイスから取り外され、そのため、オペレータは、組成物により既に汚染されているデバイスのパーツを事前洗浄する必要を伴うことなく、有利には異なる色および／または質感の新規のカプセル１および新規の機構１３を挿入することによって新規のリップスティック生産作業を繰り返すことが可能となる。
【０１８２】
このようにすることで、このデバイスは、ピストン６がロッド６０に装着されるリザーバまたはデバイスを備える機械から差別化される。
【０１８３】
本発明は、図示するおよび上記で説明した実施形態に具体的に限定されず、任意の均等手段の実装にまで範囲が及ぶ点を理解されたい。
【符号の説明】
【０１８４】
１  カプセル
２  円筒形状チューブ、シリンダ
３  第１の端部
４  第２の端部
５  ショルダ
６  ピストン
７  カバー
８  インプリント
９  出口ノズル
１０  リップスティック
１１  分離可能ヘッド
１２  外周
１３  リップスティック塗布チューブ機構
１４  保護チューブ
１５  第１の端部
１６  第２の端部
１７  シール
１８  切り抜き形状部
１９  装飾用金属スリーブ
２０  カップ
２１  底部
２２  側壁部
２３  自由端部
２４  中央開口
２５  中央先端部
２６  操縦デバイス
２７  ベース
２８  底部
２９  円筒状貫通開口
３０  薄い部分
３１  ねじ
３２  スライダ
３３  ナット
３４  充填デバイス
３５  コンパートメント
３６  前方表面
３７  保護カバー
３８  ヒンジ
３９  ハンドル
４０  磁石システム
４１  側方表面
４２  画面
４３  回収引出し
４４  第２の引出し
４５  ハンドル
４６  ハッチ
４７  受領ハウジング
４８  ボックス
４９  底部
５０  円筒状ヘッド
５１  ねじ
５２  上方表面
５３  切頭錐体形状底部
５４  貫通開口
５５  加熱用電気抵抗
５６  ブレード
５７  プッシャ
５８  ばね
５９  ローラ
６０  ロッド
６１  溝
６２  側方表面
６３  端部
６４  第２のハウジング
６５  リング
６６  トレイ
６７  貫通開口
６８  端部
６９  端部
７０  コラム
７１  自由端部
７２  停止要素
７３  端部
７４  壁部
７５  壁部
７６  ハロゲンデバイス
７７  端部
７８  位置センサ
７９  冷却手段
８０  ブロワシステム
１００  オペレータ
【図１】
2016522060.tif 000003
【図２】
2016522060.tif 000004
【図３】
2016522060.tif 000005
【図４】
2016522060.tif 000006
【図５】
2016522060.tif 000007
【図６】
2016522060.tif 000008
【図７】
2016522060.tif 000009
【図８ａ】
2016522060.tif 000010
【図８ｂ】
2016522060.tif 000011
【図９ａ】
2016522060.tif 000012
【図９ｂ】
2016522060.tif 000013
【図９ｃ】
2016522060.tif 000014
【図１０】
2016522060.tif 000015
【図１１】
2016522060.tif 000016
【図１２】
2016522060.tif 000017
【国際調査報告】
2016522060.tif 000018
2016522060.tif 000019
2016522060.tif 000020
2016522060.tif 000021
2016522060.tif 000022
2016522060.tif 000023